(57)【特許請求の範囲】
【請求項１】
画像データから求めた平面色度座標系の色データの平均値を算出し、算出された平均値を、人間の知覚特性に近似した色度座標系の色データに変換したのち、該色度座標系において、前記変換された色データと目標値とを結ぶ補正軌跡を演算し、該補正軌跡に基づいて前記画像データの色を変化させることを特徴とする画像データの色補正方法。
【請求項２】
人間の知覚特性に近似した色度座標系が均等色知覚空間座標系である請求項１に記載の画像データの色補正方法。
【請求項３】
画像データから求めた色データが白色データであり、画像データの色補正がホワイトバランス補正である請求項１または２に記載の画像データの色補正方法。
【請求項４】
撮像センサと、該撮像センサを介して得られた画像データから求めた平面色度座標系の色データの平均値を算出し、算出された平均値を、人間の知覚特性に近似した色度座標系の色データに変換する色データ変換手段と、前記人間の知覚特性に近似した色度座標系において、前記変換された色データと目標値とを結ぶ補正軌跡を演算する補正軌跡演算手段と、前記演算された補正軌跡に基づいて前記画像データの色を変化させる操作手段と、を備えたことを特徴とするデジタルカメラ。
【発明の詳細な説明】
【０００１】
【発明の属する技術分野】
この発明は、デジタルカメラのホワイトバランス補正等に用いられる、画像データの色補正方法、及び該色補正方法を実施可能なデジタルカメラに関する。
【０００２】
【従来の技術】
デジタルカメラは、撮像センサの分光感度が固定のため、撮影光源の分光が所定の値からはずれると色再現性が極端に悪くなる。このため、撮影光源の分光を判断し、例えばホワイトバランス等の色補正を自動的に行う機能が組み込まれている。
【０００３】
しかし、撮影光源を的確に判断するのは容易でなく、自動補正で常に最適な結果が得られるとは限らない。
【０００４】
そこで、マニュアル操作等により、ホワイトバランス等における補正値を、最適と思われる値から所定値ずつシフトする機能を設け、ユーザーが画面を見ながら好みの補正値を選択できるようにしたものが提案されている。
【０００５】
【発明が解決しようとする課題】
しかしながら、上記のように補正値をシフトさせる場合、人間の知覚特性に合わせてシフトさせるのは容易でなく、画像の色の変化の度合いと人間が感じる変化の度合いがずれていたため、ユーザーが補正値をシフトさせて画像の色を変化させた場合に違和感を覚えやすいという欠点があった。
【０００６】
この発明は、このような欠点を解消するためになされたものであって、ユーザーに違和感を覚えさせることなく、画像の色を変化させることができる画像データの色補正方法を提供し、さらにはこの色補正方法を実施可能なデジタルカメラを提供することを課題とする。
【０００７】
【課題を解決するための手段】
上記課題は、画像データから求めた平面色度座標系の色データの平均値を算出し、算出された平均値を、人間の知覚特性に近似した色度座標系の色データに変換したのち、該座標系において、前記変換された色データと目標値とを結ぶ補正軌跡を演算し、該補正軌跡に基づいて前記画像データの色を変化させることを特徴とする画像データの色補正方法によって解決される。
【０００８】
この色補正方法によれば、人間の知覚特性に近似した色度座標系における補正軌跡に基づいて画像データの色を変化させるから、その変化の度合いと同じ度合いでユーザーも色の変化を感じることができ、変化の過程で違和感を感じることはなくなる。
【０００９】
このような作用効果は、人間の知覚特性に近似した色度座標系として均等色知覚空間座標系を用いることで、より確実に奏される。
【００１０】
また、画像データから求めた色データが白色データであり、画像データの色補正がホワイトバランス補正である場合には、ホワイトバランス補正に関して、画像の色をユーザーに違和感を感じさせることなく変化させることができる。
【００１１】
また、上記発明を実施可能なデジタルカメラは、撮像センサと、該撮像センサを介して得られた画像データから求めた平面色度座標系の色データの平均値を算出し、算出された平均値を、人間の知覚特性に近似した色度座標系の色データに変換する色データ変換手段と、前記人間の知覚特性に近似した色度座標系において、前記変換された色データと目標値とを結ぶ補正軌跡を演算する補正軌跡演算手段と、前記演算された補正軌跡に基づいて前記画像データの色を変化させる操作手段と、を備えたことを特徴とする。
【００１２】
このデジタルカメラによれば、ユーザーが操作手段を操作して画像データの色を変化させる場合に、操作手段の操作に伴う色の変化の度合いと人間の感じる色の変化の度合いとが一致し、ユーザーは違和感なく操作を行うことができ、操作感が良くなる。
【００１３】
【発明の実施の形態】
図１は、この発明に係る画像データの色補正方法を実施可能なデジタルカメラの構成を示すブロック図である。
【００１４】
デジタルカメラ１は、銀塩一眼レフカメラを利用して構成されたカメラ本体２を有し、このカメラ本体２の前面に撮像レンズユニット３が装着され、撮像レンズユニット３には撮像レンズ部４と絞り５が配設されている。
【００１５】
撮影レンズ部４の光路方向後方には、回動軸６にその上端部を取り付けられたクイックリターンミラーＭ１が配置され、さらにこのクイックリターンミラーＭ１の光路方向後方には、フォーカルプレーンシャッター７と、さらにその後方に、ＣＣＤ（Ｃｈａｒｇｅ  Ｃｏｕｐｌｅｄ  Ｄｅｖｉｃｅ）からなる撮像センサ８が配置されている。また、この撮像センサ８の前面には、光学ローパスフィルタ１８が配設されている。
【００１６】
一方、上記クイックリターンミラーＭ１の上方位置において、カメラ本体２には光学ファインダー部９が形成されており、この光学ファインダー部９には、フォーカシングスクリーン１０を介してペンタ形プリズム１１が配置され、さらにプリズム１１の後方には接眼部１３が配置されている。
【００１７】
前記クイックリターンミラーＭ１は、シャッターボタン２４ａを全押しするまでは、図１に示すように光軸に対して４５度に傾斜した定常位置にあり、上記撮影レンズ部４からの光路Ｌをフォーカシングスクリーン１０へと向かわせる。シヤッターボタン２４ａが全押しされると、アクチュエータ１７が作動してクイックリターンミラーＭ１は回動軸を中心にほぼ水平位置まで上方に回動変位し、撮影レンズ部４からの光路を後方に開放する。そして、その後アクチュエータ１７が逆方向に作動してクイックリターンミラーＭ１は定常状態に回動復帰する。また、前記プリズム１１は、フォーカシングスクリーン１０に結像した光学像を反転縮小して、接眼部１３へと向かわせる。
【００１８】
カメラ本体２の背面には、前記撮像センサ８の出力に基いて得られた撮影画像を表示する液晶表示器（ＬＣＤ）からなる表示部１６が設けられている。
【００１９】
また、図示は省略したが、光学ファインダー部９内には、被写体光を受領する測光センサが設けられている。この測光センサで得られた光量データに基づいて、カメラＣＰＵ２０で露出データが演算され、絞り５の絞り値及び撮像センサ８の蓄積時間が決定される。また、カメラ本体２内には、同じく被写体光を受領して被写体までの距離を検出し、撮影レンズ部４を自動合焦させる測距センサが設けられている。
【００２０】
２０はカメラ制御ＣＰＵであり、このカメラ制御ＣＰＵ２０は、カメラ本体２及び撮影レンズユニット３内の各部品を制御するものである。具体的には、上記絞り５を絞りドライバ２１を介して制御し、撮像センサ８をタイミングジェネレータ（センサドライブ）２２を介して制御し、クイックリターンミラーＭ１用のアクチュエータ１７をミラー駆動回路２３を介して制御し、フォーカルプレーンシャッター７をシャッタードライバ２５を介して制御する。
【００２１】
このカメラ制御ＣＰＵ２０には、デジタルカメラを操作するための操作スイッチ２４が接続されている。この接続スイッチ２４には、シャッターボタン２４ａや、ホワイトバランス補正に対する自動設定モードとマニュアル操作モードとを切り換えるためのモード切換スイッチ２４ｂや、マニュアル操作モードにおいてホワイトバランス補正をプラス側にシフトするシフトキー（プラスキーという）２４ｃや、同じくホワイトバランス補正をマイナス側にシフトするシフトキー（マイナスキーという）２４ｄや、マニュアル操作モードにおいて前記プラスキー、マイナスキーで選択した画像を記録させる記録用ボタン２４ｅや、電源スイッチなどの他の操作スイッチ２４ｆが接続されている。
【００２２】
上記撮像センサ８は、Ｒ（赤）、Ｇ（緑）、Ｂ（青）の原色透過フィルタがピクセル単位に市松模様に張られた全画素読み出しタイプのエリアセンサであり、撮影レンズ部４による被写体の光学像を、Ｒ、Ｇ、Ｂの色成分の画像信号（各画素で受光された画素信号の信号列からなる信号）に光電変換して出力する。
【００２３】
タイミングジェネレータ２２は、カメラ制御ＣＰＵ２０から送信される基準クロックに基づき、撮像センサ８の駆動制御信号を生成し出力するものである。タイミングジェネレータ２２は、たとえば積分開始／終了（露出開始／終了）のタイミング信号、各画素の受光信号の読出制御信号（水平同期信号、垂直同期信号、転送信号等）等のクロック信号を生成し、センサドライバを介して撮像センサ８に出力する。
【００２４】
撮像センサ８の出力は、それぞれＣＤＳ（相関二重サンプリング）回路８１、ＡＧＣ（オートゲインコントロール）回路８２、Ａ／Ｄ変換器８３によって信号処理される。ＣＤＳ回路８１は、画像信号のノイズの低減を行い、ＡＧＣ回路８２は、ゲイン調整により画像信号のレベル調整を行う。Ａ／Ｄ変換器８３は、ＡＧＣ回路８２で正規化されたアナログ信号を１０ビットのデジタル信号に変換するものである。
【００２５】
４０は上記Ａ／Ｄ変換器の出力を画像処理して画像ファイルを形成する画像処理部であり、画像処理ＣＰＵにより制御される。
【００２６】
画像処理部４０に取り込まれたＡ／Ｄ変換器８３からの信号は、撮像センサ８からの読み出しに同期して画像メモリ６１に書き込まれ、以後この画像メモリ６１のデータをアクセスして各ブロックの処理を行うようになっている。
【００２７】
画像処理部４０において、画素補間ブロック４１は、所定の補間パターンで画素補間を行うブロックであり、この実施形態では、Ｒ、Ｇ、Ｂ各画素をそれぞれのフィルタパターンでマスキングした後、高帯域まで画素を持つＧについては、メディアン（中間値）フィルタで周辺４画素の中間２値の平均値に置換し、Ｒ、Ｂに関しては、平均補間して、それぞれの出力を得る。
【００２８】
ホワイトバランス制御ブロック４２は、上記画素補間ブロック４１により画素補間が行われたＲ、Ｇ、Ｂの各出力を独立にゲイン補正して、Ｒ、Ｇ、Ｂのホワイトバランス補正を行うものである。具体的には、ホワイトバランス制御ブロック４２は図２に示すような白部抽出平均演算回路４２ａを備え、該白部抽出平均演算回路４２ａにおいて、画素補完されたＲ、Ｇ、Ｂデータから本来白色と思われる部分を輝度、彩度データ等に基づいて推測し、その部分のそれぞれの平均値Ｒav、Ｇav、Ｂavを計算する。具体的には、画像データ中から｜Ｒ／Ｇ−Ｂ／Ｇ｜が所定値α以下で、かつ、Ｒ、Ｇ、Ｂの各値が所定値β以上の領域を本来白色と思われる部分とみなしている。そして、これらの平均値に対してＲav／Ｇav、Ｂav／Ｇavを演算し、Ｒ、Ｂの補正ゲインとしている。ホワイトバランスをマニュアルで調整する場合は、これらのＲav／Ｇav、Ｂav／Ｇavの値を変えることにより行う。この点については後述する。
【００２９】
ガンマ補正ブロック４３は、ホワイトバランスを正規化したＲ、Ｇ、Ｂ出力に対して非線形変換を行うものであり、表示部１６に適した階調変換が行われる。ガンマ補正された画像データは、画像メモリ６１に格納される。
【００３０】
ビデオエンコーダ４４は、画像メモリ６１に格納された上記データを読み出して、ＮＴＳＣ／ＰＡＬにエンコードし、表示部１６に表示する。
【００３１】
画像圧縮ブロック４５は、撮像センサ８から得られた撮影画像について、画像データを画像メモリ６１から読み出して圧縮処理を行うもので、撮影画像は圧縮後はメモリカードドライバ４６を介してメモリカード６２に記録される。
【００３２】
なお、メモリカード６２は、カメラ本体２の所定部位に着脱自在に装着されるようになっている。
【００３３】
つぎに、図１に示したデジタルカメラ１の動作について説明する。
【００３４】
まず、ホワイトバランス補正は自動設定モードで行われるものとする。撮影に際し、シャッターボタン２４ａが半押しされると、撮影レンズ部４および絞り５を通って入射した光学像は、カメラ本体２内のクイックリターンミラーＭ１によってその光路Ｌを上方へと変更され、フォーカシングスクリーン１０に結像したのち、プリズム１１によって反転縮小され、接眼部１３へと向かう。これにより、撮影者（ユーザー）は接眼部１３を通して被写体を視認することができる。
【００３５】
シャッターボタン２４ａがさらに押し込まれて全押しされると、絞り５が所定量絞り込まれると同時に、クイックリターンミラーＭ１が回動軸６を介して上方水平位置まで回動する。
【００３６】
ついで、フォーカルプレーンシャッター７が所定のスピードで開閉し、撮影レンズ部４および絞り５を通過した光学像が撮像センサ８に結像され、光電変換される。光電変換された信号はバッファを介して出力される。
【００３７】
撮影後、クイックリターンミラーＭ１は元の位置に回動復帰し、光路Ｌが再びフォーカシングスクリーン１０側に向かい、撮影待機状態となる。
【００３８】
撮像センサ８から出力された画像データは、ＣＤＳ回路８１、ＡＧＣ８２、Ａ／Ｄ変換器８３により所定の信号処理が施されたのち、画像処理部４０に取り込まれるとともに、画像メモリ６１に書き込まれる。
【００３９】
画像メモリ６１に書き込まれた画像データは、画像処理部４０の画素補間ブロック４１で画素補完されたのち、ホワイトバランス制御ブロック４２でホワイトバランス補正される。ホワイトバランス補正は、白部抽出平均演算部において、Ｒ、Ｇ、Ｂデータから本来白色と思われる部分のそれぞれの平均値Ｒav、Ｇav、Ｂavを計算したのち、Ｒav／Ｇav、Ｂav／Ｇavを演算し、Ｒ、Ｂの補正ゲインとすることによって行われる。
【００４０】
ホワイトバランス補正後、ガンマ補正ブロック４３でガンマ補正処理が施され、再度、画像メモリ６１に格納される。そして、画像メモリ６１から読み出されてビデオエンコーダ４４でＮＴＳＣ／ＰＡＬにエンコードされた後、表示部１６に表示される。同時に、画像圧縮ブロック４５で画像圧縮された後、メモリカードドライバ４６を介してメモリカード６２に記録される。
【００４１】
次に、マニュアル操作によってホワイトバランス補正を調整する場合について説明する。
【００４２】
まず、モード切換スイッチ２４ｂをマニュアルモードに切り換える。
【００４３】
次に、シャッターボタン２４ａを全押しすると、被写体の光学像が撮像センサ８で光電変換される。撮像センサ８から出力された画像データは、ＣＤＳ回路８１、ＡＧＣ８２、Ａ／Ｄ変換器８３により所定の信号処理が施されたのち、画像処理部４０に取り込まれるとともに、画像メモリ６１に書き込まれる。
【００４４】
画像メモリ６１に書き込まれた画像データは、画像処理部４０の画素補間ブロック４１、ホワイトバランス制御ブロック４２、ガンマ補正ブロック４３で、画像補間処理、ホワイトバランス制御、ガンマ補正処理がそれぞれ施され、再度、画像メモリ６１に格納される。そして、画像メモリ６１から読み出されてビデオエンコーダ４４でＮＴＳＣ／ＰＡＬにエンコードされた後、表示部１６に表示される。
【００４５】
ここまでの動作は前述の自動設定モードでの動作と同じである。
【００４６】
次に、ホワイトバランス制御ブロック４２では、図２に示す白部抽出平均演算回路４２ａにおいて既に演算されているＲ、Ｇ、Ｂの各平均値Ｒav、Ｇav、Ｂavを、Ｌｕ’ｖ’変換マトリクス演算回路４２ｂにより、ｘｙの平面色度座標系から人間の知覚特性に近似した色度座標系である均等色知覚空間座標系（Ｌｕ’ｖ’座標系）に変換する。
【００４７】
ここで、カラーテレビで再現する場合のＲＧＢ信号からＸＹＺ３刺激値への変換は、次のようになる。
【００４８】
Ｘ＝０．６０７Ｒ＋０．１７４Ｇ＋０．２００Ｂ
Ｙ＝０．２９９Ｒ＋０．５８７Ｇ＋０．１１４Ｂ
Ｚ＝              ０．０６６Ｇ＋１．１１６Ｂ
そして、これより、ｘｙｚ色度点を求めると、
ｘ＝Ｘ／（Ｘ＋Ｙ＋Ｚ）
ｙ＝Ｙ／（Ｘ＋Ｙ＋Ｚ）
ｚ＝Ｚ／（Ｘ＋Ｙ＋Ｚ）
となる。
【００４９】
これが一般に色を表現するｘｙの平面色度座標（ｘｙ色度図）の値となる。しかし、この物理量は人間の視覚的な知覚量とは一致していないため、この座標上の動きは色のずれ量の感覚とは異なる。
【００５０】
そこで、人間の知覚空間に合った均等色知覚空間座標系（Ｌｕ’ｖ’座標系）への変換を行う。変換は下記の式により行うことができる。
【００５１】
ｕ’＝４ｘ／（−２ｘ＋１２ｙ＋３）＝４Ｘ／（Ｘ＋１５Ｙ＋３Ｚ）
ｖ’＝９ｙ／（−２ｘ＋１２ｙ＋３）＝９Ｘ／（Ｘ＋１５Ｙ＋３Ｚ）
本実施形態においても、これらの式を用いて、Ｒ、Ｇ、Ｂの各平均値Ｒav、Ｇav、Ｂavをｕ’、ｖ’に変換する。
【００５２】
図３（Ａ）に均等色知覚空間座標を示す。同図に示す軌跡Ｈは黒体放射の色温度軌跡を示すもので、Ａは相対分光分布が温度２８５６Ｋにおける黒体放射に基づき規定されている標準の光Ａであり、例えば、電球照明による白部のデータがほぼＡに相当する。Ｃは相関色温度が約６７７４Ｋの可視域の平均的な昼光を代表する標準の光Ｃであり、昼光下の撮影による白部のデータがほぼＣに該当する。Ｄ６５は相関色温度が約６５０４Ｋの紫外域を含む平均的な昼光を代表する標準の光Ｄ６５光源による白部の色度座標点であり、デジタルカメラにおける白は上記Ｄ６５の白を目標とする。人間が基本としている光源は太陽光であり、前記色温度軌跡Ｈ上の光源変化に対しては違和感をあまり感じない。
【００５３】
仮に、撮影が黒体放射に基づく光源下で行われたときに、白部の均等色知覚空間座標上での色度点が、図３（Ｂ）に示すＤ点であったとする。このとき、補正軌跡演算回路４２ｃは、現在の白点Ｄ点と目標値である前記Ｄ６５の座標とを直線Ｔで求め、これをホワイトバランス補正における補正軌跡とする。さらに、補正軌跡演算回路４２ｃは、直線Ｔを等分する点ｐ１、ｐ２・・・、ｐｎを求め、これら各点における（ｕ’，ｖ’）の値をＲＧＢ変換マトリクス演算回路４２ｄにより、均等色知覚空間座標系からｘｙ平面色度座標系への逆変換を行い、さらに各点に対応するＲｒ、Ｇｒ、Ｂｒの値を算出する。
【００５４】
こうして求めたＲｒ、Ｇｒ、Ｂｒの値に対し、制御信号発生回路４２ｅにおいて、先の白部抽出平均演算回路４２ａで求めたＲＧＢの平均値Ｒav、Ｇav、Ｂavとの比をとり、さらにＧチャンネルで正規化しホワイトバランス制御用のＲゲイン（Ｒ／Ｇ）、Ｂゲイン（Ｂ／Ｇ）の値を得る。
【００５５】
実際には、撮影時の光源は様々であり、白部の均等色知覚空間座標上での色度点が、常に色温度軌跡Ｈ上の点であるとは限らない。例えば、輝線光源下で撮影された場合に、白部の均等色知覚空間座標上での色度点は色温度軌跡Ｈから外れた、例えば図３（Ｃ）に示すＤ’になる。この場合も同様に、当該輝線光源下における白部をｕ’、ｖ’座標上にプロットし、Ｄ’とＤ６５とを結ぶ直線Ｔ’を等分する点ｐ１’、ｐ２’・・・、ｐｎ’を求め、同様にホワイトバランス制御用のＲゲイン、Ｂゲインを求める。
【００５６】
こうして、均等色知覚空間座標系における補正軌跡Ｔ、Ｔ’上の一定間隔の各点ｐ１、ｐ２・・・、ｐｎあるいはｐ１’、ｐ２’・・・、ｐｎ’について、平面色度座標系で表示されたホワイトバランス補正係数が得られる。
【００５７】
そして、プラスキー２４ｃを一回押す毎に、ｐ１からｐｎ、あるいはｐ１’からｐｎ’へと向かってホワイトバランス補正係数が更新され、その補正係数で補正された画像がその都度表示部１６に表示される。逆に、マイナスキー２４ｄを一回押す毎に、ｐｎからｐ１、あるいはｐｎ’からｐ１’へと向かってホワイトバランス補正係数が更新され、その補正係数で補正された画像がその都度表示部１６に表示される。
【００５８】
しかも、プラスキー２４ｃ、マイナスキー２４ｄを一回押す毎に、均等色知覚空間座標系における補正軌跡Ｔ、Ｔ’上の一定間隔に対応して補正係数が変化するから、キー２４ｃ、２４ｄの操作回数と画像の色の変化とがリニアに対応する。このため、プラスキー２４ｃやマイナスキー２４ｄの操作感が良くなる。
【００５９】
こうして、異なる補正係数でホワイトバランス補正がなされた画像を、表示部１６で順次表示させながら、撮影者は好みの色の画像を選択したり、あるいは故意にホワイトバランスをずらして雰囲気のある画像を選択することができる。選択した画像は、記録用ボタン２４ｅを押すことでメモリカード６２に記録される。
【００６０】
このように、この実施形態では、ユーザーの感覚に合ったホワイトバランスの変化をさせることができるのに加えて、画像データ自体を座標変換するのではなく、画像データから白部を抽出しその部分の平均値Ｒav、Ｇav、Ｂavを座標変換しているから、変換に伴う画像データのエラーが発生しない上、扱うＲＧＢデータもそれらの平均値Ｒav、Ｇav、Ｂavであるため、処理の負荷が極めて軽い。
【００６１】
なお、以上の実施形態では、この発明に係る画像データの色補正方法を、デジタルカメラのホワイトバランス補正に適用した場合を例示したが、デジタルカメラではなくビデオカメラ等に適用しても良い。また、ホワイトバランス補正ではなく、他の色補正に適用しても良く、例えばパーソナルコンピュータ用の色変換アプリケーションソフトウエアであっても構わない。また、プラスキー２４ｃやマイナスキー２４ｄを押すたびに、補正値を均等色知覚空間座標系における補正軌跡上の一定の間隔で変化させる構成としたが、例えばプラスキーやマイナスキーを押している間は、前記補正軌跡に沿って連続的に補正値が変化する構成としても良い。
【００６２】
さらに、補正軌跡は、若干のカーブを有する曲線であっても構わない。加えて、目標値としてＤ６５を採用したが、目標値は色温度軌跡Ｈ上及びその近傍の他のものであっても構わない。
【００６３】
【発明の効果】
以上のように、この発明は、人間の知覚特性に近似した色度座標系における補正軌跡に基づいて画像データの色を変化させるから、その変化の度合いと同じ度合いでユーザーも色の変化を感じることができ、変化の過程で違和感を感じさせるような不都合をなくすことができる。
【００６４】
また、人間の知覚特性に近似した色度座標系として均等色知覚空間座標系を用いた場合には、上記の効果をより確実に奏することができる。
【００６５】
また、画像データから求めた色データが白色データであり、画像データの色補正がホワイトバランス補正である場合には、ホワイトバランス補正に関して、画像の色をユーザーに違和感を感じさせることなく変化させることができる。
【００６６】
また、この発明に係るデジタルカメラによれば、ユーザーが操作手段を操作して画像データの色を変化させる場合に、操作部材の操作に伴う色の変化の度合いと人間の感じる色の変化の度合いとを一致させることができ、ユーザーは違和感なく操作を行うことができ、操作感を向上することができる。
【図面の簡単な説明】
【図１】この発明の一実施形態であるデジタルカメラの構成を示すブロック図である。
【図２】この発明に係る色補正方法としてのホワイトバランス補正を実施する場合の、図１に示したホワイトバランス制御ブロックにおける機能ブロック図である。
【図３】（Ａ）は均等色知覚空間座標系を示す図、（Ｂ）は黒対光源下で撮影した場合の補正軌跡を示す図、（Ｃ）は輝線光源下で撮影した場合の補正軌跡を示す図である。
【符号の説明】
１・・・・・・・・・・・・・・・デジタルカメラ
２・・・・・・・・・・・・・・・カメラ本体
３・・・・・・・・・・・・・・・撮影レンズユニット
８・・・・・・・・・・・・・・・撮像センサ
４２・・・・・・・・・・・・・・ホワイトバランス制御ブロック
２４ｃ・・・・・・・・・・・・・プラスキー（操作手段）
２４ｄ・・・・・・・・・・・・・マイナスキー（操作手段）
４２ａ・・・・・・・・・・・・・白部抽出平均演算回路
４２ｂ・・・・・・・・・・・・・Ｌｕ’ｖ’変換マトリクス演算回路
４２ｃ・・・・・・・・・・・・・補正軌跡演算回路
４２ｄ・・・・・・・・・・・・・ＲＧＢ変換マトリクス演算回路
Ｔ、Ｔ’・・・・・・・・・・・・補正軌跡
【図１】
0003661447.tif 000002
【図２】
0003661447.tif 000003
【図３】
0003661447.tif 000004